(57)【要約】    【課題】検出手段の動作状態の良否を筐体の外側から容易に検査できるようにする。    【解決手段】筐体２内の遊技媒体貯留部１２と、この遊技媒体貯留部に１２に貯留される遊技媒体が一対の導電性プローブ３４に接触したときに電気的に導通して遊技媒体の貯留状態を検出する検出手段１３とを備えている。検出手段１３にはその筐体２側に一対の導電性プローブ３４を短絡可能な短絡部材３５が備えられ、また筐体２には短絡部材３５を筐体２の外側から短絡操作するための開口部３６が設けられている。そして、検査に際しては、この開口部３６から手指等を挿入して短絡部材３５を短絡操作して一対の導電性プローブ３４を短絡する。【選択図】図４
2009261564.tif 000002
【特許請求の範囲】
【請求項１】
筐体（２）内の遊技媒体貯留部（１０，１２）に、該遊技媒体貯留部（１０，１２）に貯留される遊技媒体が一対の導電性プローブ（３４）に接触したときに電気的に導通して遊技媒体の貯留状態を検出する検出手段（１３）を備えた遊技機において、前記検出手段（１３）の前記一対の導電性プローブ（３４）を短絡可能な短絡部材（３５）と、前記筐体（２）に設けられ且つ前記短絡部材（３５）を前記筐体（２）の外側から短絡操作するための操作部（３６，５５）とを備えたことを特徴とする遊技機。
【請求項２】
前記検出手段（１３）はその前記筐体（２）側に前記短絡部材（３５）を備え、前記筐体（２）の前記短絡部材（３５）に対応する位置に操作用の開口部（３６）を設けたことを特徴とする請求項１に記載の遊技機。
【請求項３】
前記遊技媒体貯留部（１０，１２）は、遊技に供する遊技媒体を貯留する主貯留部（１０）と、前記筐体（２）内に前側から出し入れ自在に配置され且つ前記主貯留部（１０）からオーバーフローした遊技媒体を貯留する補助貯留部（１２）とを備え、前記検出手段（１３）は前記補助貯留部（１２）にオーバーフローした遊技媒体を検出するように前記筐体（２）に装着されていることを特徴とする請求項２に記載の弾球遊技機。
【請求項４】
前記検出手段（１３）は前記筐体（２）の前記後壁（７）の内面に固定された支持部材（３３）と、該支持部材（３３）に固定され且つ前記補助貯留部（１２）内に突出する前記一対の導電性プローブ（３４）とを備え、前記支持部材（３３）の前記後壁（７）に対向する側に前記短絡部材（３５）を備え、該短絡部材（３５）に対向して前記後壁（７）に前記開口部（３６）を形成したことを特徴とする請求項２又は３に記載の遊技機。
【請求項５】
前記短絡部材（３５）は一端側が前記支持部材（３３）に固定され且つ一方の前記導電性プローブ（３４）に電気的に接続された弾性体から構成され、他端側が他方の前記導電性プローブ（３４）に対して隙間をおいて対向していることを特徴とする請求項２〜４の何れかに記載の遊技機。
【請求項６】
前記短絡部材（３５）は帯板であることを特徴とする請求項５に記載の遊技機。
【発明の詳細な説明】
【技術分野】
【０００１】
本発明は、メダル、コイン等を遊技媒体とするスロットマシン等の遊技機に関し、筐体内の遊技媒体貯留部に貯留される遊技媒体の貯留状態を検出する検出手段の動作状態の良否を筐体の外側から容易に検査できるようにしたものである。
【背景技術】
【０００２】
メダル、コイン等を遊技媒体とするスロットマシン等の遊技機では、遊技毎に前面パネルの投入口から投入されたメダル等の遊技媒体を筐体内の主タンクに貯留しておき、大当たり等の入賞があった場合に、その入賞に応じて主タンク内の遊技媒体を払い出し手段により規定数ずつ払い出すようになっている。
【０００３】
投入口から投入される遊技媒体により主タンクが満杯状態になれば、その後に投入された遊技媒体は主タンクのオーバーフロー口から補助タンクへとオーバーフローさせて、筐体内に出し入れ自在に設けられた補助タンクへと移し、また補助タンク内に所定量の遊技媒体が貯留すれば、補助タンクの裏側で筐体の後壁に設けられた検出手段により検出してスピーカ等の報知手段により管理者に報知するようにしている（特許文献１）。
【特許文献１】特開２００１−２９９９９４号公報
【発明の開示】
【発明が解決しようとする課題】
【０００４】
一般に検出手段には支持部材に一対の導電性プローブを突設したものが使用され、一対の導電性プローブが前向きに突出するように支持部材が筐体の後壁の内面に固定されている。そして、検出手段の前側で筐体内に補助タンクを配置したときに、導電性プローブが補助タンク内に突出するようにしている。
【０００５】
しかし、従来の遊技機では、筐体には検出手段の検査用の開口等がないため、検出手段の動作状態の良否を検査する場合には、筐体の前面側の前面パネルを開けて筐体内の補助タンクを取り出した後、一対の導電性プローブに検査用の導体を接触させて短絡する必要がある。このため従来は検出手段の動作状態の良否を容易に検査できない欠点がある。
【０００６】
また特に補助タンクは筐体の側壁と主タンクとの間の狭い空間で筐体の底壁上に前側から出し入れ自在に配置されており、補助タンクの上側に主タンクのオーバーフロー口があるため、前側から導電性プローブに検査用の導体を接触させるに際しても、主タンクのオーバーフロー口等が障害となって作業が非常に煩雑であるという問題がある。
【０００７】
本発明は、このような問題点に鑑み、検出手段の動作状態の良否を筐体の外側から容易に検査できる遊技機を提供することを目的とする。
【課題を解決するための手段】
【０００８】
本発明は、筐体２内の遊技媒体貯留部１０，１２に、該遊技媒体貯留部１０，１２に貯留される遊技媒体が一対の導電性プローブ３４に接触したときに電気的に導通して遊技媒体の貯留状態を検出する検出手段１３を備えた遊技機において、前記検出手段１３の前記一対の導電性プローブ３４を短絡可能な短絡部材３５と、前記筐体２に設けられ且つ前記短絡部材３５を前記筐体２の外側から短絡操作するための操作部３６，５５とを備えたものである。
【発明の効果】
【０００９】
本発明によれば、筐体２の外部から操作部３６，５５を介して短絡部材３５により導電性プローブ３４を短絡する短絡操作することによって、検出手段１３の動作状態の良否を筐体２の外側から容易に検査できる利点がある。
【発明を実施するための最良の形態】
【００１０】
以下、本発明の各実施例を図面に基づいて詳述する。図１〜図６は本発明をスロットマシンとして具現化した第１の実施例を例示する。図１及び図２において、１は遊技機本体で、筐体２と、この筐体２の前側に開閉自在に配置された矩形状の前面パネル３とを備えている。
【００１１】
筐体２は前側が開放する箱形であって、左右一対の側壁４と、この側壁４の上下両端を左右に連結する天壁５及び底壁６と、これらの裏側を塞ぐ後壁７とを備えており、この筐体２の前側を閉鎖するように、前面パネル３がヒンジ（図示省略）を介して一方の側壁４に開閉自在に枢着されている。
【００１２】
筐体２内には図２に示すように、複数の図柄表示リール８ａ〜８ｃを左右方向に配列した表示リールユニット９、遊技に供するメダル等の遊技媒体を貯留する主タンク１０、主タンク１０内の遊技媒体を払い出す払い出し手段１１、主タンク１０からオーバーフローした遊技媒体を貯留する補助タンク１２、補助タンク１２内の遊技媒体の貯留状態を検出する検出手段１３、主制御基板１４が収容された主制御基板ケース１５等が配置されている。
【００１３】
表示リールユニット９は筐体２の上下方向の略中央で左右の側壁４間に支架された支持板１７上に着脱自在に装着されている。支持板１７の下側で底壁６上には主タンク１０、払い出し手段１１、補助タンク１２が配置され、また表示リールユニット９の上側には主制御基板ケース１５が配置されている。主制御基板１４はスロットマシン全体の遊技動作を制御するものである。
【００１４】
主タンク１０は上側が開口するホッパー状でって、遊技に供すべく投入された遊技媒体を受け入れて貯留すると共に、遊技媒体が満杯状態のときには、投入された後続の遊技媒体をオーバーフロー口１６から補助タンク１２へとオーバーフローさせるようになっている。
【００１５】
払い出し手段１１は大当たり等の入賞時に主タンク１０内の遊技媒体を規定数ずつ払い出すためのもので、主タンク１０の下側で筐体２の底壁６上に配置されている。補助タンク１２は上側が開口する箱状であって、前面パネル３を枢着するヒンジと反対側に配置された側壁４と主タンク１０との間で底壁６上に前側から出し入れ自在に載置されている。補助タンク１２の裏側には、この補助タンク１２に対応して筐体２の後壁７の内面に検出手段１３が装着されている。
【００１６】
なお、主タンク１０により主貯留部が、補助タンク１２により補助貯留部が夫々構成され、また主貯留部及び補助貯留部により遊技媒体貯留部が構成されている。補助タンク１２は絶縁性の材料により構成されている。
【００１７】
前面パネル３の上部には図１に示すように第１表示窓１９と第２表示窓２０とが上下に配置されている。第１表示窓１９は前面パネル３の裏側に装着された液晶式等の画像表示手段２１に対応して形成され、遊技者はこの第１表示窓１９を介して画像表示手段２１の演出画像を前側から視認可能となっている。第２表示窓２０は筐体２側に装着された図柄表示リール８ａ〜８ｃの前側に対応して矩形状に形成され、遊技者はこの第２表示窓２０を介して図柄表示リール８ａ〜８ｃ上の遊技図柄を前側から視認可能となっている。
【００１８】
前面パネル３の前側下部には、払い出し手段１１から払い出された遊技媒体や返却された遊技媒体を前側に排出するための排出口２２が設けられ、その前側に排出口２２から排出された遊技媒体を受ける受け皿２３が横長状に配置されている。
【００１９】
また前面パネル３の上下方向の略中央部には、第２表示窓２０の下側に沿って横長状に操作パネル部２４が設けられ、この操作パネル部２４に遊技媒体を投入可能な投入口２５、投入口２５内に詰まった遊技媒体を返却させるための返却ボタン２６の他、投入口２５への遊技媒体の投入に代えてクレジットから遊技媒体をベットするための１ベットボタン２７及びマックスベットボタン２８、ベットをキャンセルするためのキャンセルボタン２９、図柄表示リール８ａ〜８ｃの回転を開始させるためのスタートレバー３０、回転中の図柄表示リール８ａ〜８ｃを夫々個別に停止させるためのストップボタン３１ａ〜３１ｃ等が設けられている。なお、投入口２５から投入された遊技媒体は、前面パネル３の裏側の選別手段、シュート（共に図示省略）等を経て主タンク１０内に落下するようになっている。
【００２０】
検出手段１３は図３〜図６に示すように筐体２の後壁７の内面に固定された支持部材３３と、この支持部材３３に固定され且つ底壁６上の補助タンク１２内に突出する一対の導電性プローブ３４とを備え、補助タンク１２内に貯留された遊技媒体が両導電性プローブ３４に接触したときに、導電性を有する遊技媒体を介して電気的に導通して遊技媒体の貯留状態を検出するようになっている。
【００２１】
支持部材３３の後壁７に対向する側、即ち支持部材３３の裏側には、一対の導電性プローブ３４を短絡するための短絡部材３５が設けられ、また筐体２には短絡部材３５に対応する位置に、筐体２の外側から短絡部材３５を短絡操作するための開口部３６が設けられている。
【００２２】
支持部材３３は合成樹脂材等の絶縁性材により構成されている。この支持部材３３は一対の導電性プローブ３４間方向に長い周壁部３７と、この周壁部３７の前端側に形成された支持壁部３８と、周壁部３７の長手方向の中間で周壁部３７の後端側から上下両側に突出する取り付け部３９とを有し、周壁部３７の後端が後壁７に当接した状態で各取り付け部３９がネジ３９ａ等により後壁７に固定されている。
【００２３】
支持部材３３には、その支持壁部３８に長手方向に所定の間隔をおいて前後両側に突出する取り付けボス４０が設けられ、この各取り付けボス４０に導電性プローブ３４が前側に突出するように挿通して固定されている。導電性プローブ３４は軸部４１の後端側に頭部４２が設けられると共に、少なくとも頭部４２の近傍部分に取り付けボス４０に螺合するネジ部４３が設けられている。
【００２４】
この導電性プローブ３４は軸部４１に信号線４４の接続端子４５を套嵌した状態で、支持壁部３８の裏側からそのネジ部４３が取り付けボス４０に螺合されており、補助タンク１２を筐体２の底壁６上に置いたときに、その後壁部４６の一対の通孔４７を介して補助タンク１２内に突出するようになっている。
【００２５】
支持部材３３は左右方向の一端側が低くなるように傾斜状に配置され、一対の導電性プローブ３４は支持部材３３の傾斜によって、その一方が低くなり、他方が高くなるように、上下に高低差を付けて左右に配置されている。取り付けボス４０の支持壁部３８から後方への突出量は、周壁部３７の突出量よりも小である。ネジ部４３は導電性プローブ３４の軸部４１の略全長に設けられている。信号線４４は周壁部３７の切り欠き部４８を経て支持部材３３の外部に引き出されており、図外の中継基板等を介して報知手段に接続されている。
【００２６】
短絡部材３５は導電性を有する弾性体、例えば弾性を有するステンレス板、その他の帯板を屈曲状に折り曲げて構成されている。この短絡部材３５はその一端側が取り付け孔５０に挿通された一方の導電性プローブ３４により共締めで支持部材３３に固定され、他端側が他方の導電性プローブ３４に対して所定の間隔をおいて対向している。
【００２７】
短絡部材３５は他端側の被操作部５１を裏側から前側へと短絡方向に押圧したときに、その弾性変形により他端側が他方の導電性プローブ３４に対して頭部４２に接触して導電性プローブ３４を短絡する。なお、一方の導電性プローブ３４と一方の信号線４４と短絡部材３５、また他方の導電性プローブ３４と他方の信号線４４は、夫々電気的に接続されている。短絡部材３５はその一端側で取り付けボス４０の周辺のリブ等に形成された廻り止め部５２により廻り止めされている。
【００２８】
なお、支持部材３３をプリント基板により構成して、そのプリント基板に導電性プローブ３４、短絡部材３５を半田付け等により固定してもよい。
【００２９】
操作用の開口部３６は手指等を挿入して短絡部材３５を裏側から押圧するためのものであり、少なくとも短絡部材３５の他端側に対向するように筐体２の後壁７に前後に貫通して形成されている。この開口部３６は検出手段１３の傾斜に沿って長い長孔状に形成され、この開口部３６の外周に支持部材３３の周壁部３７が当接することにより、筐体２の内側から支持部材３３により塞がれている。開口部３６の幅は短絡部材３５よりも大であり、短絡部材３５の一部である少なくとも他端側が開口部３６内に入っている。
【００３０】
なお、この実施例では開口部３６により、短絡部材３５を操作する操作部が構成されている。開口部３６は短絡部材３５の被操作部５１にのみ対応して設けてもよい。また短絡部材３５の長手方向の中間部を被操作部５１とし、その被操作部５１に対応して開口部３６を設けてもよい。
【００３１】
上記構成のスロットマシンにおいて、主タンク１０内の遊技媒体が満杯状態になれば、投入口２５から投入された後続の遊技媒体は主タンク１０のオーバーフロー口１６からオーバーフローして補助タンク１２へと落下する。そして、補助タンク１２内の遊技媒体が一方の導電性プローブ３４を超えて他方の導電性プローブ３４まで貯留すれば、その貯留状態の遊技媒体を介して一対の導電性プローブ３４が電気的に導通するため、検出手段１３がその導通によって遊技媒体の貯留を検出し、外部の報知手段が管理者に対して報知する。
【００３２】
従って、管理者は補助タンク１２内の導電性プローブ３４の貯留状態を把握でき、前面パネル３を開放して筐体２内の補助タンク１２を取り出した後、その補助タンク１２内の遊技媒体を他に移す等の所定の措置を講じることができる。
【００３３】
検出手段１３の動作状態を検査する場合には、筐体２の裏側から後壁７の開口部３６内に手指又は他の部材を挿入して短絡部材３５の他端側の被操作部５１を前側へと押圧する。すると短絡部材３５が弾性変形して他端側が他方の導電性プローブ３４の頭部４２に当接する。そして、検出手段１３又は検出手段１３を含む検出系統に断線、接触不良等の異常がなければ、短絡部材３５を介して一対の導電性プローブ３４が電気的に導通して短絡され信号線４４から検出信号が出力されるため、検出手段１３の動作状態が正常であることが判る。また検出手段１３等に異常があれば、信号線４４から検出信号が出力されないので、異常であることが判る。
【００３４】
このため検出手段１３が筐体２の内部に装着されているにも拘わらず、その検出手段１３の動作状態を筐体２の裏側からの簡単な操作で検査することができ、従来に比較してその検査を容易にできる利点がある。特に前面パネル３を開閉する必要がなく、島設備に対するスロットマシンの設置の前後を問わず、検出手段１３の動作状態の良否を容易に検査することが可能である。
【００３５】
図７は本発明の第２の実施例を例示する。この実施例では、短絡部材３５の他端側の被操作部５１に筐体２の開口孔５４に嵌合する操作部材５５が設けられ、この操作部材５５を介して短絡部材３５を筐体２の外側から押圧（短絡操作）するようになっている。なお、この実施例では操作部材５５により操作部が構成されている。
【００３６】
短絡部材３５の被操作部５１側は開口孔５４を内側から塞ぐ大きさを有し、その弾性により後壁７の内面側に当接するか、後壁７の内面に近接して配置されており、この被操作部５１に裏側へと突出する操作部材５５が固定されている。操作部材５５は後壁７の開口孔５４に前後方向に移動自在に遊嵌しており、検査時にその後端側を手指等で操作するようになっている。開口孔５４の後端側は操作部材５５を容易に操作できるように外側に広がっている。なお、操作部材５５の後端は、後壁７の板厚内に収まっているが、外側に若干突出してもよい。他の構成は第１の実施例と同じである。
【００３７】
この場合にも操作部材５５を筐体２の裏側から押圧操作すれば、短絡部材３５が弾性変形して導電性プローブ３４を電気的に短絡することができ、検出手段１３又は検出手段１３を含む検出系統の動作状態を筐体２の外側から検査することができる。また筐体２の開口孔５４を短絡部材３５、操作部材５５により塞ぐことができる。
【００３８】
図８は本発明の第３の実施例を例示する。この実施例では、短絡部材３５の被操作部５１に対応して筐体２に操作部材５５が設けられ、この操作部材５５を介して短絡部材３５を筐体２の外側から押圧（短絡操作）するようになっている。
【００３９】
操作部材５５は保持ケース５６内に前後方向に移動自在に保持されると共に、バネ５９により短絡部材３５から離間する方向（後方向き）に付勢されて、その後端側が操作頭部５７となっている。保持ケース５６は筐体２の開口孔５４に嵌合して固定されている。操作部材５５は操作頭部５７から突設する複数の弾性脚部５８を有し、その弾性脚部５８が保持ケース５６に摺動自在に嵌合し、抜け止め部６０により抜け止めされている。なお、保持ケース５６は開口孔５４に前側又は裏側の何れから嵌合してもよい。また操作部材５５は短絡部材３５の被操作部５１側に当接してもよいし、両者の間に若干の隙間をおいてもよい。他の構成は第１の実施例と同じである。
【００４０】
このように短絡部材３５を検出手段１３側に設け、その短絡部材３５を操作する操作部材５５を筐体２側に設けても、筐体２の外側から短絡部材３５を操作して検出手段１３等の動作状態の検査を容易に行うことができる。
【００４１】
図９は本発明の第４の実施例を例示する。この実施例では、短絡部材３５、操作部材５５が共に筐体２側に設けられ、その操作部材５５を介して短絡部材３５を筐体２の外側から押圧操作するようになっている。
【００４２】
操作部材５５は筐体２の開口孔５４に前後方向に移動自在に挿通されると共に、筐体２側の段部６１と操作頭部５７との間で操作部材５５の外周に套嵌されたバネ５９により短絡部材３５から離間する方向（後方向き）に付勢されている。操作部材５５には、筐体２の内側でその端部に各導電性プローブ３４に対応する短絡部材３５が固定されている。短絡部材３５は例えばその取り付け孔６２と操作部材５５の周溝６３とが嵌合して、取り付け孔６２の内周に形成された抜け止め片６４により操作部材５５に固定されている。他の構成は第１の実施例と同じである。
【００４３】
この場合には、操作部材５５をバネ５９に抗して押圧操作すると、その先端に固定された短絡部材３５が各導電性プローブ３４に接触して電気的に短絡することができ、検出手段１３等の動作状態を筐体２の外側から検査することができる。従って、このように短絡部材３５を検出手段１３から分離して筐体２側に設け、この短絡部材３５を筐体２の外側から操作部材５５により操作するようにしてもよい。
【００４４】
以上、本発明の各実施例について詳述したが、本発明はこの各実施例に限定されるものではなく、本発明の趣旨を逸脱しない範囲で種々の変更が可能である。例えば、実施例では、検出手段１３の一対の導電性プローブ３４を上下方向に高低差を持たせて配置しているが、略同一高さに設けてもよい。その場合、一対の導電性プローブ３４は１個の遊技媒体で短絡しない程度の間隔（１個の遊技媒体よりも大きい間隔）をおいて設けることが望ましい。また導電性プローブ３４は前後方向に長いピン状が望ましいが、前後方向に長い帯板状にして、その板面が左右に相対向するように略平行に配置してもよい。
【００４５】
各実施例に例示するように短絡部材３５は検出手段１３側に設けてもよいし、筐体２側に設けてもよい。また検出手段１３側に短絡部材３５を設ける場合、その一端側を導電性プローブ３４等で支持部材３３に固定してもよいし、支持部材３３内で一対の導電性プローブ３４に対して接近離間方向に移動可能に支持しておき、筐体２の外側からの操作で短絡部材３５が一対の導電性プローブ３４に接触するようにしてもよい。短絡部材３５は帯板の他、断線線材等を使用してもよい。なお、第４の実施例の場合には、短絡部材３５は弾性材でもよいし、それほど弾性のないものでもよい。
【００４６】
また短絡部材３５を短絡操作する操作部は、筐体２側に開口部３６を設けるだけでもよいし、筐体２の開口孔５４に嵌合する操作部材５５を短絡部材３５に設けるか、又は筐体２にその開口孔５４に嵌合する操作部材５５を設けて、筐体２側の開口孔５４を塞ぐようにしてもよい。要するに操作部は、筐体２の内部側の短絡部材３５を外側から操作できるようになっておれば十分であり、開口部３６に直接手指等を挿入して短絡部材３５を直接操作する構造でもよいし、短絡部材３５側又は筐体２側の操作部材５５を介して短絡部材３５を間接的に操作する構造でもよい。
【００４７】
実施例では補助タンク１２の遊技媒体の貯留状態を検出する検出手段１３を例示しているが、検出手段１３により主タンク１０の遊技媒体の貯留状態を検出する等、筐体２の内部にある遊技媒体貯留部の遊技媒体の貯留状態を検出するものであれば、それらに対しても同様に実施可能である。その場合、遊技媒体貯留部が補助タンク１２のように着脱式である必要はない。実施例ではメダル等を遊技媒体とするスロットマシンについて例示したが、遊技球を遊技媒体とするパチンコ機等の弾球遊技機でもよい。
【図面の簡単な説明】
【００４８】
【図１】本発明の第１の実施例を示すスロットマシンの全体斜視図である。
【図２】同筐体側の正面図である。
【図３】同検出手段側の拡大正面図である。
【図４】同図３のａ−ａ線断面図である。
【図５】同筐体、検出手段及び補助タンクの一部破断斜視図である。
【図６】同検出手段の分解斜視図である。
【図７】本発明の第２の実施例を示す要部の断面図である。
【図８】本発明の第３の実施例を示す要部の断面図である。
【図９】本発明の第４の実施例を示す要部の断面図である。
【符号の説明】
【００４９】
２  筐体
７  後壁
１０  主タンク（主貯留部、遊技媒体貯留部）
１２  補助タンク（補助貯留部、遊技媒体貯留部）
１３  検出手段
３３  支持部材
３４  導電性プローブ
３５  短絡部材
３６  開口部（操作部）
５５  操作部材（操作部）
【図１】
2009261564.tif 000003
【図２】
2009261564.tif 000004
【図３】
2009261564.tif 000005
【図４】
2009261564.tif 000006
【図５】
2009261564.tif 000007
【図６】
2009261564.tif 000008
【図７】
2009261564.tif 000009
【図８】
2009261564.tif 000010
【図９】
2009261564.tif 000011
【手続補正書】
【提出日】平成20年5月23日(2008.5.23)
【手続補正１】
【補正対象書類名】図面
【補正対象項目名】図７
【補正方法】変更
【補正の内容】
【図７】
2009261564.tif 000012